(57)【特許請求の範囲】
【請求項１】
光源と、光源の光を集光する集光部と、集光部で集光した前記光が入光面から入射される導光材とを備え、
有底筒状で筒の周壁の内面の略全体を反射面とした反射部材を、前記導光材の前記入光面側に設け、
前記反射部材が、前記集光部で集光した前記光を前記集光部の焦点で透光する点透光部を底部に有し、
前記反射部材が、前記底部を前記導光材の前記入光面に対向させて、前記周壁で前記導光材の前記入光面側を覆い、
前記導光材に対して前記反射部材をスライド移動自在として前記導光材と前記反射部材の前記底部との間隔を可変としていることを特徴とする照明装置。
【請求項２】
前記導光材が長尺棒状に形成され、この導光材の長手方向の両端面を夫々前記入光面とし、前記入光面毎に前記光源及び前記集光部及び前記反射部材を設け、
前記反射部材が、前記周壁に加えて前記底部の内面を反射面としたものである
ことを特徴とする請求項１に記載の照明装置。
【請求項３】
前記底部が、前記点透光部から離れた部位程、前記入光面に近接する形状のものである
ことを特徴とする請求項２に記載の照明装置。
【請求項４】
前記入光面に沿って前記光源を複数並べて設け、
前記光源毎の前記入光面との間に前記集光部を夫々設け、
前記底部の前記集光部毎の位置に前記点透光部を夫々設けたものである
ことを特徴とする請求項１乃至３のいずれか一項に記載の照明装置。
【発明の詳細な説明】
【技術分野】
【０００１】
本発明は、光源の光を導光材を介して照射する照明装置に関するものである。
【背景技術】
【０００２】
従来から、照明装置としては、特許文献１、２に示すように、光源の光を一端から導光板に入光させて、この光を導光板の他の面（出光面）から照射する所謂エッジライト方式の照明装置がある。そして、前記照明装置では、光源及び導光板の入光面側を纏めて反射板で覆うことで、光源の光を反射板で反射して入光面に照射し易くして、導光板の出光面から外部に照射する光量を増加させている。
【先行技術文献】
【特許文献】
【０００３】
【特許文献１】特開２００１−３１２２１３号公報
【特許文献２】特開２００４−  ９５３９０号公報
【発明の概要】
【発明が解決しようとする課題】
【０００４】
ところで、この種の照明装置では、熱膨縮や製造時等の寸法バラツキ等で導光板の長手方向の寸法に変化や差を生じ易く、この変化等を生じると、反射板で囲まれた空間内における導光板の入光面の位置が変動する。そして、入光面の位置が変動した場合、特許文献１、２等の従来の照明装置では、反射板で導光板の入光面を覆うため、反射板で反射した光の入光面への入射条件が設計時から変化してしまい、入光面に入光し難くなる恐れがある。また、前記従来の照明装置では反射板で光源も覆うため、入光面に入光し難くなった光が反射板で反射する等で光源に至り易くなる。そして、光源に至った光は光源に吸収される。このように、従来の照明装置は、導光板の長手方向の寸法に変化等を生じると、導光板への入光効率が低下する等で、出光面からの光量が低下するという問題がある。
【０００５】
そこで、本発明は、前記従来の問題点に鑑みて発明したものであり、その目的とするところは、集光部と導光材の入光面との間に焦点が位置した場合における、入光効率の低下を軽減し易くした照明装置を提供することにある。
【課題を解決するための手段】
【０００６】
上記課題を解決するために、本発明は、光源と、光源の光を集光する集光部と、集光部で集光した前記光が入光面から入射される導光材とを備え、有底筒状で筒の周壁の内面の略全体を反射面とした反射部材を、前記導光材の前記入光面側に設け、前記反射部材が、前記集光部で集光した前記光を前記集光部の焦点で透光する点透光部を底部に有し、前記反射部材が、前記底部を前記導光材の前記入光面に対向させて、前記周壁で前記導光材の前記入光面側を覆い、前記導光材に対して前記反射部材をスライド移動自在として前記導光材と前記反射部材の前記底部との間隔を可変としていることを特徴とする。
【０００７】
この照明装置として、前記導光材が長尺棒状に形成され、この導光材の長手方向の両端面を夫々前記入光面とし、前記入光面毎に前記光源及び前記集光部及び前記反射部材を設け、前記反射部材が、前記周壁に加えて前記底部の内面を反射面としたものであることが好ましい。
【０００８】
この照明装置として、前記底部が、前記点透光部から離れた部位程、前記入光面に近接する形状のものであることが好ましい。
【０００９】
この照明装置として、前記入光面に沿って前記光源を複数並べて設け、前記光源毎の前記入光面との間に前記集光部を夫々設け、前記底部の前記集光部毎の位置に前記点透光部を夫々設けたものであることが好ましい。
【発明の効果】
【００１０】
本発明は、前記構成を備えたことで、熱膨縮や製造時等の寸法バラツキ等で導光板の長手方向の寸法に変化や差を生じても、導光材に対する反射部材のスライド移動で反射部材底部の点透光部の位置を集光部の焦点に位置させることができると同時に、内面の略全面が反射面である周壁で前記導光材の前記入光面側を覆っているために、光透過部を通った光を反射部材の周壁の内面で反射して入光面に照射され易くすることができて、集光した光を入光面に入光し易くすることができる。これによって、本発明は出光面からの照射効率を向上し易くすることができる。
【図面の簡単な説明】
【００１１】
【図１】第１例の照明装置の反射部材周辺の斜視図である。
【図２】（ａ）は同上の模式的な平面図であり、（ｂ）は図２（ａ）のＣ−Ｃ断面図である。
【図３】同上の光学解析結果を示す図であり、（ａ）は集光部と入光面との間隔が狭い場合であり、（ｂ）は前記間隔が広い場合である。
【図４】図３から反射部材を外した状態の図であり、（ａ）は集光部と入光面との間隔が狭い場合であり、（ｂ）は前記間隔が広い場合である。
【図５】第１例の入光面から出射した光を底部で反射した場合の模式的な平面図である。
【図６】第２例の照明装置の模式的な平面図である。
【図７】（ａ）は同上の対向光の説明図であり、（ｂ）は対向光の光学解析結果を示す図である。
【図８】図７から反射部材を外した状態であり、（ａ）は対向光の説明図であり、（ｂ）は対向光の光学解析結果を示す図である。
【図９】第３例の照明装置の光学解析結果を示す図であり、（ａ）は角錐形状とした場合であり、（ｂ）は半球形状とした場合である。
【図１０】図９（ａ）の場合における入光面から出射した光を底部で反射した場合の模式的な平面図である。
【図１１】第４例の照明装置の反射部材周辺の斜視図である。
【発明を実施するための形態】
【００１２】
以下、本発明の実施の形態を説明する。
【００１３】
第１実施形態で例示の照明装置１（第１例の照明装置１）は、図１に示すように、光源２と、光源２の光を集光して放出する集光部３と、透光性を有する導光材４と、反射部材１０（詳細は後述する）とを備える。光源２は、例えば、ＬＥＤ（発光ダイオード）等の発光体を有した所謂点光源になっている。集光部３は、例えば入光レンズ（集光レンズ）等で形成してある。集光部３は、図２に示すように、光源２の発した光を、屈折や反射等で所定方向（図中の集光方向Ｄ１参照）に集光する。そして、この集光した光は、集光方向Ｄ１において集光部３から所定の距離の位置に焦点Ｓ１を有する。
【００１４】
導光材４は、集光方向Ｄ１に長尺な矩形の棒状（角棒状）になっている。導光材４は、集光方向Ｄ１に沿った長手方向の両方の端面（棒の端面）が、集光方向Ｄ１に略直交した平面形状になっている。そして、導光材４は一方の端面が、集光方向Ｄ１において、光源２及び集光部３と正対しており、この端面に、集光部３で集光した光が入射する。言い換えると、導光材４は、長手方向の一方の端面が、光源２からの光を内部に入光するための入光面４ａになっており、入光面４ａに対向する位置に、光源２及び集光部３が設けてある。
【００１５】
更に、導光材４は、集光方向Ｄ１（長手方向）に亘って断面が略一様に形成してある。導光材４は、長手方向に長い四つの周面５（端面以外の面）のうち、一つの周面５（第１面５ａ）が、入光面４ａからの光を出射する（外部に照射する）出光面４ｂになっている。このように、導光材４は入光面４ａの向きに対して出光面４ｂの向きが略直交した向きになっている。そして、出光面４ｂは、集光方向Ｄ１に対して略直交した向き（図１中の照射方向Ｄ２参照）に光を出射する。
【００１６】
また、導光材４は、照射方向Ｄ２において第１面５ａに背向する周面５（第２面５ｂ）に、光拡散部６を有する。光拡散部６は、例えば、第２面５ｂに印刷やメッキや凹凸加工等を施して設けたものや、導光材４と異なる透光率を有した部材を二色成形等のコーティングで第２面５ｂに設けたもの等になっている。そして、光拡散部６は、導光材４内部の光を反射や拡散等することで、第２面５ｂからの出射（光漏れ）を抑制したり、導光材４内の光を第１面５ａ（出光面４ｂ）側に至り易くしたりする。以下、導光材４の四つの周面５のうち、第１面５ａ及び第２面５ｂ以外の残る二つの周面５を、図２に示すように、側面５ｃとし、例えば側面５ｃは内部の光を反射や拡散等して光漏れし難くなっている。
【００１７】
このように、照明装置１は、導光材４の長手方向に対向して光源２を配置して、導光材４の長手方向に交差した周面５から光源２の光を出射する、所謂エッジライト方式の照明装置になっている。なお、照明装置１は、導光材４の入光面４ａとは反対側の端面に、光拡散部６をさらに設けて、前記反対側の端面からの光漏れを抑制することが好ましい。
【００１８】
ところで、導光材４は、図４（ａ）に示すように、集光方向Ｄ１において、焦点Ｓ１から所定の距離未満に入光面４ａが位置した場合、高い入光効率をえ易くなる。しかし、導光部材は、図４（ｂ）に示すように、熱膨縮や製造時等での寸法バラツキ等で、入光面４ａが焦点Ｓ１から前記所定の距離以上離れて位置することがある。この場合、焦点Ｓ１を通り過ぎた光のうち、一部の光は、入光面４ａに至る前に入光面４ａより外方（集光方向Ｄ１に沿って且つ焦点Ｓ１を通る仮想直線を基準とした場合の径外方向における入光面４ａより外方）に広がってしまう。そして、この外方に広がった一部の光は、入光面４ａに照射され難くなる（入光し難くなる）ため、照明装置１は、前記所定の距離未満の場合に比べて、入光効率が低下する。対して、本例では、図３に示すように、反射部材１０を設けたことで、前記外方に広がった光を入光面４ａに入光し易くしている。
【００１９】
具体的には、反射部材１０が、図１乃至図３に示すように、断面矩形の有底筒状になっている。そして、反射部材１０は、筒の底部１１と筒の開口端とが集光方向Ｄ１に並んでおり、集光方向Ｄ１において、底部１１側が開口端側に比べて集光部３側に位置する。開口端は、集光方向Ｄ１に視て、内部が導光材４と略同形同寸になっている。言い換えると、反射部材１０は、集光方向Ｄ１の一端が導光材４と略同形同寸で開口した矩形の箱状になっている。
【００２０】
底部１１は、集光方向Ｄ１において、光源２（集光部３）と導光材４の入光面４ａとの間に位置する。そして、底部１１は矩形の板状で、内面１１ａ（筒内部側の板面）が入光面４ａに略正対する。そのため、照明装置１は、集光方向Ｄ１において、光源２、集光部３、反射部材１０の底部１１、入光面４ａ（導光材４）の順番に並ぶ。
【００２１】
更に、底部１１は、集光方向Ｄ１に沿って且つ焦点Ｓ１を通る仮想直線上の位置に、点透光部１３が設けてある。点透光部１３は、集光部３で集光した光（光源２の光）を透光可能になっており、反射部材１０は、点透光部１３を焦点Ｓ１に位置することで、焦点Ｓ１に集まる光を筒の内部に導入することができる。点透光部１３は、底部１１や集光部３や導光材４の入光面４ａに比べて小寸小形になっており、例えば、集光方向Ｄ１に沿って底部１１を貫通した貫通孔１３ａになっている。貫通孔１３ａは、底部１１の略中央に設けてあり、集光方向Ｄ１に視て、矩形状で、且つ集光部３や導光材４の入光面４ａ等に比べて小寸小形になっている。
【００２２】
また、反射部材１０は筒の周壁１２の内面１２ａ（内周面）の略全体が、光を反射可能な反射面になっている。これによって、反射部材１０は、反射部材１０内部に導入された光を、直接或いは周壁１２の内面１２ａでの反射等で、導光材４の入光面４ａに照射し易くすることができる。
【００２３】
そして、反射部材１０は、周壁１２が導光材４の入光面４ａ側に取り付けてあり、周壁１２で入光面４ａ側の部位を覆っている。言い換えると、反射部材１０は、筒の内部に導光材４の入光面４ａ側が配置してあり、周壁１２が、導光材４の入光部側を前記四つの周面５（四周）に亘って覆っている。
【００２４】
更に、反射部材１０は、導光材４に対して集光方向Ｄ１にスライド移動自在になっている。これによって、反射部材１０は、光源２と導光材４の間で底部１１の位置を変更することができる。言い換えると、反射部材１０は、底部１１の位置を集光方向Ｄ１において可変にして、導光材４に取り付けてある。
【００２５】
このように、照明装置１は、集光方向Ｄ１において集光部３と導光材４との間に位置する焦点Ｓ１に、点透光部１３を配置してある。これによって、照明装置１は、前記入光面４ａに照射され難い光を周壁１２の内面１２ａで反射して入光面４ａに照射され易くすることができる。そのため、照明装置１は、集光した光を入光面４ａに入光し易くすることができて、導光材４への入光効率を向上し易くすることができる。言い換えると、照明装置１は、集光部３と導光材４の入光面４ａとの間に焦点Ｓ１が位置した場合の入光効率の低下を軽減し易くすることができる。そのため、照明装置１は、前記照射され難い光を生じること等での出光面４ｂからの光量低下を、軽減し易くすることができて、出光面４ｂからの照射効率を向上し易くすることができる。
【００２６】
そして、照明装置１は、反射部材１０が光源２や集光部３より導光材４側に位置するため、反射部材１０で反射した光を光源２に至り難くすることができて、前記反射した光が光源２に至って吸収されることを生じ難くすることができる。これによって、照明装置１は、光源２での光の吸収による出光面４ｂからの光量低下を抑制し易くすることができて、出光面４ｂからの照射効率を向上し易くすることができる。
【００２７】
更に、照明装置１は、反射部材１０を導光材４に対してスライド移動させることで、集光方向Ｄ１における底部１１（点透光部１３）の位置を調整することができる。これによって、照明装置１は、焦点Ｓ１に点透光部１３を位置し易くすることができて、光源２の集光された光を反射部材１０内部に導入し易くすることができる。
【００２８】
そして、照明装置１は、前記スライド移動に加えて、導光材４を反射部材１０に対してスライド移動自在であってもよい。この場合、照明装置１は、導光材４の熱膨縮等の際に、焦点Ｓ１に点透光部１３を位置した状態で、集光方向Ｄ１において入光面４ａの位置を反射部材１０に対して変化させることができる。言い換えると、照明装置１は、前記熱膨縮等の際に、点透光部１３を焦点Ｓ１に位置した状態で、入光面４ａの位置が反射部材１０に対して変化する。この場合、照明装置１は、反射部材１０で入光面４ａより外方への光漏れを抑制するため、導光材への入光効率を前記位置の変化前と略同じにすることができる。これによって、照明装置１は、出光面４ｂからの照射効率を向上し易くすることができる。
【００２９】
また、この種の照明装置１では、入光面４ａでの反射や拡散等によって入光面４ａに入光しない光や、導光材４の側面５ｃや光拡散部６での反射や拡散等によって入光面４ａから出射する光Ｌ１等を生じる恐れがある。本例では、反射部材１０が、図５に示すように、底部１１の内面１１ａにも前記反射面を形成してあり、底部１１の内面１１ａでも反射部材１０内の光を反射可能になっている。そのため、照明装置１は、前記入光しない光や入光面４ａから出射する光Ｌ１等を、底部１１の内面１１ａで反射する等で入光面４ａに照射して、入光面４ａ（導光材４）に入光し易くすることができる。これによって、照明装置１は、入光面４ａでの反射や入光面４ａからの出光等による前記光量の低下等を軽減し易くすることができて、出光面４ｂからの照射効率を向上し易くすることができる。
【００３０】
次に、変形例として、第２例を示す。なお、前述の例（第１例）と重複する構成は、同じ符号を付して、重複する説明は省略し、以下、本例（第２例）の特徴等を説明する。
【００３１】
照明装置１は、図６乃至図８に示すように、導光材４の長手方向の両端部に各々光源２を対向して配置する場合がある。この場合、照明装置１は、導光材４の長手方向の各端部とそれに正対する各光源２との間に各々集光部３を設けてある。そのため、導光材４は、前記両端部が各々、対向する光源２の入光面４ａになっており、集光部３で集光した光源２の光が長手方向の両方から入射する。これによって、照明装置１は、長手方向の一方のみに光源２等を配置して導光材４の一方のみを入光面４ａとした場合に比べて、出光面４ｂから照射する光の斑（光斑）を軽減し易くすることができる。
【００３２】
ところで、反射部材１０を備えない状態では、図８に示すように、各光源２から導光材４に入射した光の一部が、互いの反対側の光源２用の入光面４ａ（入射した入光面４ａとは反対側の入光面４ａ）から出射する恐れがある。以下、この光を対向光Ｌ２とする。
【００３３】
本例では、図７に示すように、光源２及び集光部３と導光材４の入光面４ａとの集光方向Ｄ１の間に各々、反射部材１０が設けてある。反射部材１０は底部１１の内面１１ａ及び周壁１２の内面１２ａが、光を反射可能な反射面になっている。そして、反射部材１０は各々、導光材４に対して集光方向Ｄ１にスライド移動自在になっている。
【００３４】
このように、本例では、集光部３と導光材４との間に焦点Ｓ１が位置した場合に、焦点Ｓ１に点透光部１３を位置して反射部材１０を配置する。これによって、照明装置１は、前記入光面４ａに照射され難い光を周壁１２の内面１２ａで反射する等で、前記光を入光面４ａに照射され易くすることができる。そのため、照明装置１は、集光部３と入光面４ａとの間に焦点Ｓ１が位置した場合の入光効率の低下を軽減し易くすることができて、出光面４ｂからの照射効率を向上し易くすることができる。
【００３５】
そして、照明装置１は、底部１１の内面１１ａを反射面としたことで、対向光Ｌ２や前記光Ｌ１（不図示）等を底部１１の内面１１ａや周壁１２の内面１２ａで反射して、導光材４に入光し易くすることができる。これによって、照明装置１は、対向光Ｌ２等による前記光量の低下等を軽減し易くすることができて、出光面４ｂからの照射効率を向上し易くすることができる。
【００３６】
更に、照明装置１は、反射部材１０を導光材４に対してスライド移動することで、集光方向Ｄ１における底部１１（点透光部１３）の位置を調整することができる。これによって、照明装置１は、焦点Ｓ１に点透光部１３を位置し易くすることができて、光源２の集光された光を反射部材１０内部に導入し易くすることができる。
【００３７】
次に、他の変形例として、第３例を示す。なお、前述の第１例や第２例と重複する構成は、同じ符号を付して、重複する説明は省略し、以下、本例（第３例）の特徴等を説明する。
【００３８】
本例では、反射部材１０の底部１１が、点透光部１３から離れた部位程入光面４ａに近接する形状になっている。具体的には、例えば、図９（ａ）に示すように、底部１１が、略中央に点透光部１３を設けた平板部１５と、平板部１５の外周端から集光方向Ｄ１側に立ち上がる立上り部１６とを有しており、光源２側に凸で中空の角錐形状になっている。そして、底部１１は内面１１ａが反射面になっている。言い換えると、平板部１５及び立上り部１６は内面が反射面になっている。
【００３９】
平板部１５は、集光方向Ｄ１に視て、開口端より小寸小形になっており、集光方向Ｄ１に略直交して板面を有する。そして、平板部１５は、集光方向Ｄ１において、筒の周壁１２との間に間隔を有しており、平板部１５の外周端と周壁１２の底部１１側の端縁との間は、立上り部１６で接続してある。
【００４０】
立上り部１６は、平板状で、板面が平板部１５の板面に交差した方向を向く。そして、立上り部１６は、立ち上がり先端側程、平板部１５に対して離れ且つ導光材４に近づく向きに傾斜しており、この先端が周壁１２の前記端縁に接続してある。言い換えると、立上り部１６は、集光方向Ｄ１に傾いて平板部１５から離れる程、周壁１２に近づく向きに形成してあり、平板部１５から周壁１２に向けて末広がり形状になっている。
【００４１】
そのため、反射部材１０は、図１０に示すように、前記光Ｌ１等（光源２を対向して配置した場合であれば対向光Ｌ２等を含む光）を立上り部１６の内面で反射して、入光面４ａに再度入光し易く（戻し易く）することができる。そして、反射部材１０は、集光方向Ｄ１に傾斜した反射面（立上り部１６の内面）を有したことで、底部１１の略全体が集光方向Ｄ１に略直交した場合（底部１１全体が略平板状の場合）に比べて、底部１１で反射した光を入光面４ａ側に向き易くすることができる。
【００４２】
また、反射部材１０は底部１１が平面に限らず曲面であってもよく、例えば、図９（ｂ）に示すような場合では、集光方向Ｄ１に切断した反射部材１０の断面がＵ字形状になっている。この場合、底部１１は、光源２側に凸で中空の略半球形状になっており、底部１１は前記焦点Ｓ１を通る仮想直線上に前記半球の中心が位置する。
【００４３】
そして、点透光部１３は、この半球の凸となる先端部位である前記仮想直線上の部位（前記仮想直線との交点部位）に設けてある。更に、底部１１は、集光方向Ｄ１側（導光材４側）に向かう程、集光方向Ｄ１に視て円環状から矩形環状に変化しており、集光方向Ｄ１側の先端が筒の周壁１２の前記端縁に接続してある。
【００４４】
そのため、反射部材１０は、底部１１の内面１１ａで前記光Ｌ１等を反射して、入光面４ａに戻り易くすることができる。そして、反射部材１０は、底部１１が点透光部１３から離れる程導光材４側に近づく内面１１ａ（半球状の内面１１ａ）を有したことで、前記底部１１全体が略平板状の場合に比べて、底部１１で反射した光を入光面４ａ側に向き易くすることができる。
【００４５】
これらのように、本例（第３例）では、反射部材１０の底部１１を点透光部１３から離れた部位程、入光面４ａに近接する形状にしたことで、底部１１で反射した光を入光面４ａ側に向き易くすることができる。これによって、反射部材１０は、前記光Ｌ１等を入光面４ａに戻す際に、前記底部１１の略全体が略直交した場合に比べて、入光面４ａに戻るまでの内面１１ａ等での反射回数を低減し易くすることができる。そのため、照明装置１は、材質吸収や反射面での散乱等の反射部材１０での光の減衰を軽減し易くすることができて、出光面４ｂからの照射効率を向上し易くすることができる。
【００４６】
次に、第２実施形態の例（第４例）を示す。なお、前述の第１実施形態と重複する構成は、同じ符号を付して、重複する説明は省略し、以下、本例（第４例）の特徴等を説明する。
【００４７】
本例では、図１１に示すように、導光材４が集光方向Ｄ１及び照射方向Ｄ２の両方向に略直交した向きに幅を有した板状になっている。そして、導光材４は、一方の板面が出光面４ｂになっており、入光面４ａ及び出光面４ｂが互いに同じ向きで幅を有する。言い換えると、導光材４は、入光面４ａに幅を有した棒状になっている。そして、導光材４は、棒の周面のうち、入光面４ａの幅と同じ向きに幅を有する周面の一つが出光面４ｂになっている。また、前記幅は、同じ向き（幅方向Ｄ３）における光源２及び集光部３の寸法（幅）より大寸になっている。
【００４８】
更に、照明装置１は、光源２及び集光部３（以下、光源組とする）が、複数設けてある。光源組は前記幅に沿った方向（幅方向Ｄ３）に並べて配置してある。光源組は各々、集光方向Ｄ１が並行に並び、集光方向Ｄ１において入光面４ａと正対する、更に、光源組の各焦点Ｓ１は、幅方向Ｄ３に並んで位置する。
【００４９】
反射部材１０は、幅方向Ｄ３に沿って幅を有する。そして、反射部材１０は、周壁１２が幅方向Ｄ３の略全体に亘って入光面４ａ側を覆うと共に、底部１１が入光面４ａの略全体に対向しており、周壁１２の内面１２ａ及び底部１１の内面１１ａが反射面になっている。
【００５０】
更に、反射部材１０は、底部１１の集光方向Ｄ１に沿って且つ集光部３毎の焦点Ｓ１を通る仮想直線上の位置に、点透光部１３が夫々設けてある。言い換えると、反射部材１０は、光源組毎に点透光部１３を有する。そのため、各集光部３で集光された光は夫々、集光部３毎に対向する（対応する）点透光部１３を介して、反射部材１０内（筒内部）に導入されて、周壁１２の内面１２ａで反射する等で、入光面４ａに入光する。
【００５１】
このように、照明装置１は、集光部３と導光材４との間に焦点Ｓ１が位置した場合に、前記入光面４ａに照射され難い光を周壁１２の内面１２ａで反射して入光面４ａに照射され易くすることができる。これによって、照明装置１は、集光部３と導光材４との間に焦点Ｓ１が位置した場合の入光効率の低下等を軽減し易くすることができて、出光面４ｂからの照射効率を向上し易くすることができる。
【００５２】
更に、照明装置１は、反射部材１０を導光材４に対してスライド移動することで、集光方向Ｄ１における底部１１（点透光部１３）の位置を調整することができる。これによって、照明装置１は、焦点Ｓ１に点透光部１３を位置し易くすることができて、光源２の集光された光を反射部材１０内部に導入し易くすることができる。
【００５３】
なお、本発明は、前述の実施形態の構成のみに限定されるものではなく、本発明の意図する範囲内であれば、適宜の設計変更を行うことや、各例の構成を組み合わせて用いることが可能である。点透光部１３は、貫通孔１３ａの縁等が集光部３からの光を遮らない寸法で透光可能なものであればよく、例えば、所謂ピンホール（針孔）程度に微少な貫通孔１３ａであってもよい。また例えば、点透光部１３は、貫通孔１３ａに限らず、焦点Ｓ１に配置することで、集光部３からの光を透光可能であれば、二色成形等で底部１１に透光可能な部位を形成したもの等であってもよい。また例えば、点透光部１３は、貫通孔１３ａ内に透光部材やレンズ等の光学的部材を配置したものであってもよい。また例えば、導光材４は、矩形の棒状に限らず、出光面４ｂの反対側の端部（第２面５ｂ）が曲面形状としたものや、出光面４ｂ以外の周面５を連続する断面Ｕ字状の一つの曲面としたもの等であってもよい。
【符号の説明】
【００５４】
１  照明装置
２  光源
３  集光部
４  導光材
４ａ  入光面
４ｂ  出光面
１０  反射部材
１１  底部
１１ａ  底部の内面
１２  周壁
１２ａ  周壁の内面
１３  点透光部
１３ａ  貫通孔
Ｄ１  集光方向
Ｄ２  照射方向
Ｄ３  幅方向
Ｓ１  焦点
【図１】
0005887556.tif 000002
【図２】
0005887556.tif 000003
【図３】
0005887556.tif 000004
【図４】
0005887556.tif 000005
【図５】
0005887556.tif 000006
【図６】
0005887556.tif 000007
【図７】
0005887556.tif 000008
【図８】
0005887556.tif 000009
【図９】
0005887556.tif 000010
【図１０】
0005887556.tif 000011
【図１１】
0005887556.tif 000012